(57)【特許請求の範囲】
【請求項１】
少なくとも２個のランプを有する照明具と、
建造物に嵌め込まれる板状体であって、該板状体の全体を横切る平らな前面を有し、夫々のランプからの光を通すことができる位置に複数の孔が形成され、該孔の内面は、真直ぐな形状、又は内向きに傾斜した形状、又は外向きに傾斜した形状にて、前記前面から照明具の内方向に延びており、前記平らな前面が建造物の表面と同一平面上になるように嵌め込まれる、板状体と、
板状体を建造物に嵌め込んだとき、建造物と板状体との間に形成される継ぎ部の全体を覆うように配備されたスパックルと、を具えている建造物内の照明装置。
【請求項２】
板状体は前面と背面を有し、各孔の周りには背面からシールドが突出しており、ランプはシールド内の所望の深さ位置に配置されている請求項１に記載の装置。
【請求項３】
照明具は、ランプを保持するハウジングを含んでいる請求項２に記載の装置。
【請求項４】
板状体を建造物に合体させる結合手段を含んでおり、該結合手段は、板状体を建造物に固定するテープを含んでおり、該テープは建造物及び板状体に配置される請求項３に記載の装置。
【請求項５】
結合手段は、板状体を建造物へ取り付けるための自在式取付ブラケットを含んでいる請求項４に記載の装置。
【請求項６】
スパックルは、テープを覆うようにテープに配置される請求項４に記載の装置。
【請求項７】
ランプ及び中継ボックスに接続され、ランプへ電気を供給するための変圧器を含んでいる請求項６に記載の装置。
【請求項８】
照明具は、ジンバルリングを含んでおり、該ジンバルリングの中にランプが配備される請求項７に記載の装置。
【請求項９】
孔は、対称形又は非対称形である請求項１に記載の装置。
【請求項１０】
板状体は、ガラス、焼石膏、コーリアン、大理石、御影石、木材、金属又はセラミックで作られている請求項１に記載の装置。
【請求項１１】
建造物の中で照明する方法であって、
複数の孔が形成された板状体を有する一体型パネルを、複数のランプを有する照明具に対して、ランプからの光が孔を通ることができるように孔とランプの位置を合わせて、配置する工程であって、板状体はその全体を横切る平らな前面を有し、前記孔の内面は、真直ぐな形状、又は内向きに傾斜した形状、又は外向きに傾斜した形状にて、前記前面から照明具の内方向に延びており、
パネルの負荷が建造物によって支持され、板状体の前記平らな前面が建造物の表面と同一平面上になるように、パネルを建造物へ取り付ける工程と、
建造物と板状体との間に形成される継ぎ部の全体を覆うようにスパックルを配備する工程と、を含んでいる建造物の照明方法。
【請求項１２】
ランプの高さを、パネルの孔の周りのシールド内で調節する工程を含んでいる請求項１１に記載の方法。
【請求項１３】
取り付ける工程は、テープを用いてパネルを建造物に固定し、該テープの上にスパックルを施す工程を含んでいる請求項１２に記載の方法。
【発明の詳細な説明】
【０００１】
【発明の分野】
本発明は、２個以上のランプ用の一体型パネルに関する。より具体的には、本発明は、２個以上のランプ用の一体型照明パネルであって、ランプを、パネルの孔のシールド内にて所望深さに配置することができるパネルに関する。
【０００２】
【発明の背景】
建造物内の照明については、建造物内の領域を照明するという機能性に加えて、美観の点から、その配置が考慮されることがある。照明具の美感を高める方法の１つは、照明具をできる限り人目につかないように配置することである。即ち、照明具は、配置される天井又は壁又は床の一部であるかの如く見えるようにすることである。これまで、ランプを覆うと共に、ランプを嵌め込む壁又は天井の一部として見えるようにするため、成型により又は焼石膏で作られた単一孔パネルが用いられてきた。本発明は、この技術を、２以上の孔を有するパネルに拡大したもので、パネル内の孔の所望深さのところにランプを配置できるようにしたものである。
【０００３】
【発明の要旨】
本発明は、建物構造内を照明する装置に関する。該装置は、少なくとも２個のランプを有する照明具を具えている。また、装置は、複数の孔を有する板状体(one-piece layer)を含んでおり、複数の孔は、ランプからの光が通過できるように、それぞれのランプと位置を合わせることができるようにしている。
【０００４】
本発明は、少なくとも２個のランプを有し、建造物の中に取り付けられる照明具用のパネルに関する。該パネルは、複数の孔を有する板状体を含んでおり、複数の孔は、ランプからの光が通過できるように、それぞれのランプと位置を合わせることができるようにしている。
【０００５】
本発明は、建造物を照明する方法に関する。該方法は、複数の孔を有する一体型パネル(one-piece panel)と、複数のランプを有する照明具について、ランプからの光が孔を通過できるように、孔とランプの位置が合うようにパネルを照明具に配置する工程を含んでいる。また、パネルを建造物へ取り付ける工程を含んでいる。
【０００６】
本発明は、パネルを形成する方法に関する。該方法は、材料が凝固したときに材料の中に孔を形成するためのランド部を少なくとも２つ有するモールドの中へ、材料を投入する工程を含んでいる。該方法は、材料を凝固させる工程を含んでいる。また、凝固した材料をモールドから分離する工程を含んでいる。
【０００７】
本発明は、パネルを形成する方法に関する。該方法は、板状体に第１の孔をあける工程を含んでいる。また、板状体に第２の孔をあける工程を含んでいる。
【０００８】
【詳細な説明】
本発明の望ましい実施例及び本発明を実施する望ましい方法については、添付の図面に示されている。
図面中、同様な要素又は同一の要素については、同じ引用符号を付している。具体的には、図１乃至図３を参照すると、建造物(12)の中に照明装置(10)が示されている。照明装置(10)は、少なくとも２個のランプ(16)を有する照明具(14)を具えている。装置(10)は、複数の孔(20)を有する板状体(18)を含んでいる。該板状体は複数の孔(20)を有しており、ランプ(16)からの光が孔を通過できるように、孔と夫々のランプ(16)と位置合せが行われる。孔(20)とランプ(16)は軸心が同じとなるように配置することができる。ランプ(16)は、低電圧ランプ又は線間電圧ランプであってよい。
【０００９】
板状体(18)は、望ましくは、前面(22)と背面(24)を有しており、各孔の周りでは、背面(24)からシールド(26)が突出している。ランプ(18)はシールド(26)内にて所望深さに配置されている。照明具(14)は、ランプ(16)を保持するハウジング(28)を含むことが望ましい。装置(10)は、ランプ(16)へ電気を供給するための変圧器(38)を含むことが望ましく、該変圧器はランプ(16)及び中継ボックス(40)に接続される。照明具(14)は、ランプ(16)を取り付けるためのジンバルリング(遊動環)(42)を含むことが望ましい。
【００１０】
装置(10)は、板状体(18)を建造物(12)へ合体させる結合手段(30)を含むことが望ましい。結合手段(30)は、板状体(18)を建造物(12)へ固定するためのテープ(32)を含むことが望ましく、該テープは建造物(12)と板状体(18)に配置される。結合手段(30)は、板状体(18)を建造物(12)へ取り付けるための自在式取付ブラケット(34)を含むことが望ましく、該ブラケットは建造物(12)と板状体(18)に配置される。結合手段(30)は、テープ(32)と、建造物(12)及び板状体(18)の継ぎ部と、を覆うスパックル(spackle)(36)を含むことが望ましく、該スパックルは、テープ(32)に配置される。また、図４乃至図６に示すように、孔(20)の内面(44)は、真直ぐな形状、内向きに傾斜した形状、又は外向きに傾斜した形状が望ましい。孔(20)は、対称形でも非対称形でもよい。
【００１１】
本発明は、図７乃至図９に示すように、少なくとも２個のランプ(16)を有し、建造物(12)の中に取り付けられた照明具(14)用のパネル(11)に関する。パネル(11)は、複数の孔(20)を有する板状体(18)を具えている。前記孔は、ランプ(16)からの光が通過できるように、夫々のランプ(16)と位置が合わせられるようにしている。
【００１２】
板状体(18)は、望ましくは、前面(22)と背面(24)を有しており、各孔の周りでは、背面(24)からシールド(26)が突出している。板状体(18)は、ガラス、焼石膏、コーリアン(corian)、大理石、御影石、木材、プラスチック、金属又はセラミックから作ることができる。
【００１３】
本発明は、建造物を照明する方法に関する。本発明の方法は、孔(20)を有する一体型パネル(11)と、ランプ(16)を有する照明具(14)について、ランプ(16)からの光が孔(20)を通ることができるように、孔(20)とランプ(16)の位置を合わせてパネル(11)を照明具(14)に配置する工程を含んでいる。この方法は、パネル(11)を建造物(12)に取り付ける工程を含んでいる。
【００１４】
また、パネル(11)のシールド(26)内でのランプ(16)の高さを、孔(20)の周りで調節する工程を含んでいる。取付工程では、テープ(32)の貼着によりパネル(11)を建造物(12)に結合し、テープ(32)にスパックルを施す工程を含むことが望ましい。
【００１５】
本発明は、パネル(11)を成形する方法に関する。この方法は、図１２に示すように、材料が凝固したときに材料の中に孔(20)を形成するためのランド部(48)を２以上有するモールド(46)の中に原材料を導入する工程を含んでおり、この方法は、材料を凝固させる工程を含んでいる。また、凝固した材料をモールド(46)から分離する工程を含んでいる。
【００１６】
本発明は、パネル(11)を形成する方法に関する。この方法は、板状体(18)に第１の孔をあける工程を含んでいる。また、板状体(18)に第２の孔をあける工程を含んでいる。
【００１７】
本発明では、一体型パネル(11)における孔(20)の形成は、孔明け又は成型のどちらかによって行なわれる。パネル(11)をモールド(46)から形成する場合、図１２に示すように、所望形状のランド部(48)を２以上有するモールド(46)の中へ、焼石膏などの材料を注ぎ込む。所望される孔(20)の内面形状に応じて、ランド部(48)は、外向きテーパ、内向きテーパ又は真直ぐであってよい。石膏が固まると、パネル(11)をモールド(46)から分離する。ランド部(48)があった位置に、孔(20)が形成される。パネル(11)を孔明けによって形成する場合、大理石、御影石又は木材などの中実材料の所望位置に、ドリル加工又は切取り加工を施し、孔(20)を開設する。次に、孔(20)の周りに、シールド(26)を、接着剤を用いてパネル(11)の背面(24)へ取り付ける。
【００１８】
形成されたパネル(11)を照明具(14)に配置するが、このとき、図１、図２及び図３に示すように、パネル(11)の孔(20)と照明具(14)のランプ(16)の位置を合わせる。ランプ(16)は、孔(20)の中で、所望深さに配置される。パネル(11)には、照明具(14)の配置を容易にするために、位置合せ用孔を形成することができる。一方、ハウジング(28)には、パネル(11)が確実に配置されるように、適当な位置に、パネルの位置合せ用孔に嵌まるピンを設けることができる。或いはまた、ハウジング(28)に位置合せ用孔を形成し、パネル(11)の背面(24)にピンを突設してもよい。ピン又は孔の形成は、パネルの成型又は孔あけ工程中に行なうことができる。
【００１９】
ランプ(16)は、パネル(11)の前面(22)に沿うように、又は前面(22)から後方に嵌まるように配置される。このようにできるのは、ランプ(16)がパネル(11)によって支持されるのではなく、照明具(14)によって支持されているからである。孔(20)は、ジンバル(42)内のランプ(16)を所望位置まで回転させることができるように十分な大きさを有している。また、図４、図５及び図６に示すように、美観の点から、孔(20)の内面(44)を、前面(22)に対して、内向きテーパ、外向きテーパ又は真直ぐな形状にすることができる。照明具(14)は、図１及び図３に示すように、当業者に周知の如く、ランプ(16)へ電気を供給するための変圧器(38)と中継ボックス(40)を含んでいる。ジンバルリング(42)は、ヨークを有していても有していなくてもよい。ジンバルリング(42)は、米国特許第６１７０９６５号に記載されているように、ロックすることができる。なお、該米国特許は、引用を以て本願に組み入れられる。
【００２０】
パネル(11)の照明具(14)への取付けは、照明具(14)を建造物へ取り付ける前又は取り付けた後に行なうことができる。パネル(11)は、クリップ又はクリップボードねじ(clip board screws)を用いてハウジング(28)へ取り付けられる。例えば石膏ボードで作られた建造物へパネル(11)を取り付けるには、シートロックねじを用いることができる。パネル(11)の荷重は、壁又は天井によって支持されることが望ましい。照明具は、当該分野で周知のように、建造物によって支持されることが望ましい。
【００２１】
パネル(11)が照明具(14)と共に適所に配置されると、照明具(14)とパネル(11)は、天井や壁などの建造物(12)に収容されて、建造物(12)へ取り付けられる。照明具(14)へ取り付けられたパネル(11)は、両側に自在式取付ブラケット(34)を有しており、該ブラケットを用いて、建造物(12)に取り付けられ、該建造物によって保持される。
【００２２】
パネル(11)の照明具(14)への取付けは、まず最初に照明具(14)を建造物(12)へ接続した後に行われることに留意されるべきである。これは、どの設置方法を用いるかによって異なる。
【００２３】
孔(20)は、美観の好みに応じて、対称形又は非対称形のどちらでもよい。図１、図１０及び図１１に示すように、パネル(11)は、照明具(14)内のランプ(16)の個数に応じて、一般的には、２個乃至４個の孔(20)を有している。
【００２４】
照明具(14)とパネル(11)が適所に配置されると、建造物(12)とパネル(11)との間に形成される継ぎ目に沿って、建造物(12)とパネル(11)に接触するようにテープ(32)を貼り、全ての継ぎ目を被覆する。次に、図１に示す如く、テープ(32)上にスパックルを配置し、テープ(32)を隠すと共に、建造物(12)の面をきれいにして、美観を向上させる。
【００２５】
本発明を、例示した上記実施例を参照して詳細に説明したが、その詳細は単なる例示であって、当該分野の専門家であれば、請求の範囲の記載を除き、発明の精神及び範囲から逸脱することなく、変更を加えることができることは理解されるべきである。
【図面の簡単な説明】
【図１】本発明の正面図である。
【図２】本発明の底面図である。
【図３】本発明の端面図である。
【図４】パネルの前面から外向きに広がる孔の内面形状の略説明図である。
【図５】パネルの前面から内向きに広がる孔の内面形状の略説明図である。
【図６】パネルの前面から真直ぐに延びる孔の内面形状の略説明図である。
【図７】パネルの正面図である。
【図８】パネルの底面図である。
【図９】パネルの端面図である。
【図１０】２個のランプを具える本発明の実施例の正面図である。
【図１１】４個のランプを具える本発明の実施例の正面図である。
【図１２】モールドの概略図である。
【符号の説明】
(10)  照明装置
(11)  パネル
(12)  建造物
(14)  照明具
(16)  ランプ
(18)  板状体
(20)  孔
(26)  シールド
(32)  テープ
(44)  内面
(46)  モールド
(48)  ランド部
【図１】
0004488673.tif 000002
【図２】
0004488673.tif 000003
【図３】
0004488673.tif 000004
【図４】
0004488673.tif 000005
【図５】
0004488673.tif 000006
【図６】
0004488673.tif 000007
【図７】
0004488673.tif 000008
【図８】
0004488673.tif 000009
【図９】
0004488673.tif 000010
【図１０】
0004488673.tif 000011
【図１１】
0004488673.tif 000012
【図１２】
0004488673.tif 000013